(57)【特許請求の範囲】
【請求項１】
建築現場において転落を防止する転落防止装置であって、
長尺な板状であり、第１締付口を有した上平板部と、
長尺な板状であり、第２締付口を有した下平板部と、
前記上平板部と前記下平板部とを対向させた状態で、前記第１締付口と前記第２締付口とに挿入されたボルトが前記上平板部と前記下平板部との間の間隔を調節自在に保持する締付部と、
底面部を有し天面が開放された略円筒形状の単管挿入部と、を備え、
前記単管挿入部の前記底面部には、雄ねじ部が突き出ており、
前記上平板部の一方の端部近傍に前記雄ねじ部が貫通する雄ねじ挿入孔を有し、
前記下平板部の一方の端部近傍に前記雄ねじ部が螺合可能な雌ねじ部を有していることを特徴とする転落防止装置。
【請求項２】
前記第１締付口及び前記第２締付口はともに長穴であり、
前記締付部は、当該長穴である前記第１締付口及び前記第２締付口に沿って摺動可能であることを特徴とする請求項１に記載の転落防止装置。
【請求項３】
前記雄ねじ部は、前記雄ねじ挿入孔を貫通し前記雌ねじ部に螺合することで前記上平板部及び前記下平板部との間の間隔を調節可能であり、
前記雄ねじ部の前記雌ねじ部に対する螺合を解除することで前記単管挿入部と、前記上平板部及び前記下平板部と、が分離可能であることを特徴とする請求項１又は２に記載の転落防止装置。
【請求項４】
長尺な板状であり、第１締付口を有した上平板部と、
長尺な板状であり、第２締付口を有した下平板部と、
前記上平板部と前記下平板部とを対向させた状態で、前記第１締付口と前記第２締付口とに挿入されたボルトが前記上平板部と前記下平板部との間の間隔を調節自在に保持する締付部と、
底面部を有し天面が開放された略円筒形状の単管挿入部と、を備え、
前記単管挿入部の前記底面部には、雄ねじ部が突き出ており、
前記上平板部の一方の端部近傍に前記雄ねじ部が貫通する雄ねじ挿入孔を有し、
前記下平板部の一方の端部近傍に前記雄ねじ部が螺合可能な雌ねじ部を有していることを特徴とする転落防止装置を準備し、
前記上平板部と前記下平板部とで鉄筋を挟むように位置させ、
前記ボルトを前記第１締付口と前記第２締付口とに挿入し前記上平板部と前記下平板部との間隔を調節して固定するとともに、前記雄ねじ部を前記雌ねじ部に螺合させて、前記上平板部と前記下平板部との間で前記鉄筋を締め付け、
前記単管挿入部に単管を挿入し、
前記単管に命綱、親綱、又は水平方向の単管を係止することを特徴とする転落防止方法。
【発明の詳細な説明】
【技術分野】
【０００１】
本発明は、建築現場における鉄筋上を歩行する際の転落を防止する転落防止装置、及び転落防止方法に関するものである。
【背景技術】
【０００２】
建物を建築する際に、コンクリート打設する場所に複数の鉄筋からなる組立筋を構築し、その後、型枠を設置してコンクリートを打設する。その組立筋構築時又は型枠設置時に、誤って組立筋上部から下に落下して怪我をする恐れがある。
【０００３】
特許文献１には、立柱に狭着した固定部に主支持杆を固定し、主支持杆にロープを係止可能な安全装置が記載されている。
【先行技術文献】
【特許文献】
【０００４】
特許文献１：実開昭５１−１４４０２９号公報
【発明の概要】
【発明が解決しようとする課題】
【０００５】
しかしながら、特許文献１に記載のものは、立柱に固定部を狭着することが必須であるから、立柱のない作業現場では使用できないという問題があった。
【０００６】
本発明は、上記問題点を解決して、立柱のない鉄筋の組立現場においても簡単な操作で作業者の安全を確保することを課題とする。
【課題を解決するための手段】
【０００７】
上記課題を解決するために本発明は、建築現場において転落を防止する転落防止装置であって、
長尺な板状であり、第１締付口を有した上平板部と、
長尺な板状であり、第２締付口を有した下平板部と、
前記上平板部と前記下平板部とを対向させた状態で、前記第１締付口と前記第２締付口とに挿入されたボルトが前記上平板部と前記下平板部との間の間隔を調節自在に保持する締付部と、
底面部を有し天面が開放された略円筒形状の単管挿入部と、を備え、
前記単管挿入部の前記底面部には、雄ねじ部が突き出ており、
前記上平板部の一方の端部近傍に前記雄ねじ部が貫通する雄ねじ挿入孔を有し、
前記下平板部の一方の端部近傍に前記雄ねじ部が螺合可能な雌ねじ部を有していることを特徴とする転落防止装置を提供するものである。
【０００８】
この構成により、立柱のない鉄筋の組立現場においても簡単な操作で作業者の安全を確保することができる。
【０００９】
転落防止装置であって、前記第１締付口及び前記第２締付口はともに長穴であり、
前記締付部は、当該長穴である前記第１締付口及び前記第２締付口に沿って摺動可能である構成としてもよい。
【００１０】
この構成により、簡単な構成で締付部による締付位置を調整することができる。
【００１１】
転落防止装置であって、前記雄ねじ部は、前記雄ねじ挿入孔を貫通し前記雌ねじ部に螺合することで前記上平板部及び前記下平板部との間の間隔を調節可能であり、
前記雄ねじ部の前記雌ねじ部に対する螺合を解除することで前記単管挿入部と、前記上平板部及び前記下平板部と、が分離可能である構成としてもよい。
【００１２】
この構成により、簡単な構成で、単管挿入部と上平板部及び下平板部との間の間隔を調節可能とできるとともに、上平板部及び下平板部から雄ねじ部及び単管挿入部を分離して、上平板部及び下平板部を含めたままコンクリートを打設することができる。
【００１３】
また、上記課題を解決するために本発明は、長尺な板状であり、第１締付口を有した上平板部と、
長尺な板状であり、第２締付口を有した下平板部と、
前記上平板部と前記下平板部とを対向させた状態で、前記第１締付口と前記第２締付口とに挿入されたボルトが前記上平板部と前記下平板部との間の間隔を調節自在に保持する締付部と、
底面部を有し天面が開放された略円筒形状の単管挿入部と、を備え、
前記単管挿入部の前記底面部には、雄ねじ部が突き出ており、
前記上平板部の一方の端部近傍に前記雄ねじ部が貫通する雄ねじ挿入孔を有し、
前記下平板部の一方の端部近傍に前記雄ねじ部が螺合可能な雌ねじ部を有していることを特徴とする転落防止装置を準備し、
前記上平板部と前記下平板部とで鉄筋を挟むように位置させ、
前記ボルトを前記第１締付口と前記第２締付口とに挿入し前記上平板部と前記下平板部との間隔を調節して固定するとともに、前記雄ねじ部を前記雌ねじ部に螺合させて、前記上平板部と前記下平板部との間で前記鉄筋を締め付け、
前記単管挿入部に単管を挿入し、
前記単管に命綱、親綱、又は水平方向の単管を係止することを特徴とする転落防止方法を提供するものである。
【００１４】
この構成により、立柱のない鉄筋の組立現場においても簡単な操作で作業者の安全を確保することができる。
【発明の効果】
【００１５】
本発明の転落防止装置、及び転落防止方法により、立柱のない鉄筋の組立現場においても簡単な操作で作業者の安全を確保することができる。
【図面の簡単な説明】
【００１６】
【図１】本発明の実施例１における転落防止装置を説明する図である。
【図２】本発明の実施例１における（ａ）上平板部、（ｂ）締付部座金、（ｃ）単管挿入部の底面部を説明する図である。
【図３】本発明の実施例１における締付部を説明する図である。
【図４】本発明の実施例１における転落防止装置を鉄筋に取付けた事例を説明する図である。
【発明を実施するための形態】
【実施例１】
【００１７】
本発明の実施例１について、図１〜図４を参照して説明する。図１は、本発明の実施例１における転落防止装置を説明する図である。図２は、本発明の実施例１における（ａ）上平板部、（ｂ）締付部座金、（ｃ）単管挿入部の底面部を説明する図である。図３は、本発明の実施例１における締付部を説明する図である。図４は、本発明の実施例１における転落防止装置を鉄筋に取付けた事例を説明する図である。
【００１８】
（転落防止装置）
実施例１における転落防止装置１００は、第１締付口１１を有した上平板部１０と、上平板部１０と対向させた状態で、上平板部１０における第１締付口１１と略同一場所に第２締付口２１を有した下平板部２０とを備えている。また、上平板部１０と下平板部２０とを対向させた状態で、第１締付口１１と第２締付口２１とに挿入して、上平板部１０と下平板部２０との間の間隔を調節可能な締付部３０と、底面が閉じられて底面部４３を有し、天面が開放された略円筒形状の単管挿入部４０と、を備えている。
【００１９】
ここで、実施例１においては、第１締付口１１及び第２締付口２１はともに、長穴であり、締付部３０は長穴である第１締付口１１及び第２締付口２１に沿って摺動可能としている。これにより、締付部３０を上平板部１０と下平板部２０とに挿入して上平板部１０と下平板部２０との間隔を調節する位置を建築現場の鉄筋に邪魔されないように調整可能としている。
【００２０】
上平板部１０及び下平板部２０はともに一方に長い平板形状の鋼材からなり、およそ４００ｍｍ×６０ｍｍの大きさを有している。第１締付口１１及び第２締付口２１はともに、上平板部１０及び下平板部２０の他方の端部近傍からおよそ２１０ｍｍの長さを有して形成され、第１締付口１１の幅は１３．５ｍｍであり、第２締付口２１の幅は２１．５ｍｍである。また、第１締付口１１の両端部は、円弧形状を有しているが、第２締付口２１の両端部は凸状形状を有している。第２締付口２１の両端部の凸状形状は、後述する締付部３０の嵌合ロングナット３２が係合する形状となっている。第１締付口１１の両端部の円弧形状は、締付部３０のボルト３１の雄ねじ部分が係合する形状となっている。そのため、第２締付口２１の両端部までの全長は、第１締付口１１の両端部までの全長よりわずかに長い。さらに、第２締付口２１の幅は、Ｗ１／２サイズ六角形の嵌合ロングナット３２が摺動するため、ボルト３１の雄ねじ部分が摺動する第１締付口１１の幅よりも広くなっている。嵌合ロングナット３２は、図３に示すように、下平板部２０の上面から下面まで第２締付口２１を貫通するように長いロングナットである。
【００２１】
また、下平板部２０の一方の端部近傍（実施例１においては、一方の端部から３０．２５ｍｍ）に雌ねじ部２２を有するとともに、下平板部２０と上平板部１０とを対向させた状態で、上平板部１０の一方の端部近傍、つまり、上平板部１０と下平板部２０とを対向させた状態で雌ねじ部２２と略同一場所にφ１３．５ｍｍの雄ねじ挿入孔１２を有している。これは、後述する単管挿入部４０の底面部４３に有した雄ねじ部４１が雄ねじ挿入孔１２を貫通し雌ねじ部２２に螺合可能とするものである。
【００２２】
実施例１における雌ねじ部２２は、下平板部２０の底面にナットを溶接して溶接部Ｗを形成している。しかしながらこれに限定するものではなく、適宜変更が可能である。例えば、下平板部２０に雌ねじを切ってもよいし、下平板部２０の上面にナットを溶接して溶接部Ｗを形成してもよい。
【００２３】
なお、実施例１においては、上平板部１０及び下平板部２０はともに一方に長い平板形状としたが、必ずしもこれに限定されず適宜変更が可能である。例えば、上平板部１０及び下平板部２０のいずれか一方又は両方ともが正方形であってもよいし、円形状であってもよく、任意の形状とすることができる。
【００２４】
また、実施例１においては、第１締付口１１の両端部は、円弧形状を有しており、第２締付口２１の両端部は凸状形状を有している構成としたが、必ずしもこれに限定されず適宜変更が可能である。例えば、第１締付口１１の両端部及び第２締付口２１の両端部をともに円弧形状としてもよいし、凸状形状としてもよいし、任意の形状として差し支えない。
【００２５】
締付部３０について、図２（ｂ）、図３を参照して説明する。実施例１における締付部３０は、ボルト３１、嵌合ロングナット３２、及び２枚の座金３４から構成されている。座金３４の中心には、嵌合ロングナット３２が嵌合可能な六角形の穴３４Ａが貫通している。嵌合ロングナット３２は、下平板部２０の第２締付口２１に嵌合させ、回動不能の状態で下平板部２０上面側の座金３４の穴３４Ａに嵌合させ溶接して溶接部Ｗを形成している。また、下平板部２０下面側の座金３４の穴３４Ａにおいても嵌合ロングナット３２が嵌合され溶接して溶接部Ｗを形成している。この状態で、上平板部１０を下平板部２０に対向させて、上平板部１０の第１締付口１１にボルト３１を挿入し、続いて嵌合ロングナット３２に螺合させる。これにより、締付部３０は、第１締付口１１及び第２締付口２１に沿って摺動することができるとともに、ボルト３１を締め付けることで、摺動方向と直交する方向の長さ、つまり上平板部１０と下平板部２０との間の間隔を調節可能とすることができる。後述するように、作業者は、ボルト３１を挿入しない状態で締付部３０を摺動させて鉄筋の隙間を探した後、ボルト３１を挿入、螺合させて鉄筋を挟み込んで締め付けることで転落防止装置１００を固定できる。
【００２６】
次に、単管挿入部４０を図１、図２（ｃ）を参照して説明する。実施例１における単管挿入部４０は、六角形の底面部４３を溶接することで底面が閉じられているとともに、天面が開放された略円筒形状であり、およそ１６０ｍｍの長さを有している。また、単管挿入部４０の底面部４３には、頭を上にして天面から挿入された雄ねじ部４１の一部であるネジ部分の途中が溶接されて溶接部Ｗが形成されることで固定されている。また、雄ねじ部４１のネジ部分の先端は単管挿入部４０の底面部４３から下方に突き出ている。これにより、単管挿入部４０は雄ねじ部４１とともに回動して雄ねじ部４１のネジ部分の先端を回動させることができる。
【００２７】
単管挿入部４０の底面部４３から下方に突き出たネジ部分の先端は、上平板部１０の雄ねじ挿入孔１２を貫通し、下平板部２０の雌ねじ部２２に螺合させることができる。これにより、単管挿入部４０を作業者が回すことで、上平板部１０と下平板部２０との間隔を変更でき、また上平板部１０と下平板部２０との間に鉄筋Ｆを挟み込んで締め付けることができる。また、雄ねじ部４１の雌ねじ部２２に対する螺合を解除することで単管挿入部４０と、上平板部１０及び下平板部２０と、が分離可能である。
【００２８】
なお、実施例１においては、底面部４３を六角形としたが、必ずしもこれに限定されず適宜変更が可能である。例えば、円形としてもよいし、六角形以外の多角形としてもよい。底面部４３によって単管挿入部４０の底面が閉じられればよい。
【００２９】
また、実施例１においては、底面部４３を単管挿入部４０の底面に溶接するようにしたが、必ずしもこれに限定されず適宜変更が可能である。例えば、底面部４３を単管挿入部４０の底面にねじ止めしてもよいし、接着剤で接着してもよい。
【００３０】
このように、単管挿入部４０を作業者が回すとともに、締付部３０のボルト３１を作業者が回すことで、上平板部１０と下平板部２０を２ヶ所で締め付けることができ、間に挟んだ鉄筋Ｆに対して強固に固定することができる。また、締付部３０は上平板部１０及び下平板部２０に沿って摺動できるため、鉄筋Ｆの隙間に合わせることができ、様々な現場に対応することができる。また、雄ねじ部４１の雌ねじ部２２に対する螺合を解除することで単管挿入部４０と、上平板部１０及び下平板部２０と、が分離可能であることで、単管挿入部４０を分離後の上平板部１０と下平板部２０とを鉄筋Ｆとともにコンクリートで固めることができる。
【００３１】
単管挿入部４０には、その天面から任意の長さの単管５０を挿入することができる。そして、単管５０に設けられたフック部５１に図示しない命綱を係合させて作業者の転落を防止することができる。また、２本の単管５０におけるフック部５１間に図示しない親綱を係止し、当該親綱に命綱を係合させて作業者の転落を防止することができる。又は、２本の単管５０の間に図示しない水平方向の別の単管を係止し、この単管に命綱を係合させて作業者の転落を防止することができる。
【００３２】
なお、実施例１においては、締付部３０を１個としたが、必ずしもこれに限定されず適宜変更が可能である。例えば、締付部３０を複数とし、上平板部１０と下平板部２０との締め付けを複数箇所としてもよい。
【００３３】
（転落防止方法）
まず、第１締付口１１を有した上平板部１０と、前記上平板部１０を対向させた状態で、前記上平板部１０における前記第１締付口１１と略同一場所に第２締付口２１を有した下平板部２０と、前記上平板部１０と前記下平板部２０とを対向させた状態で、前記第１締付口１１と前記第２締付口２１とに挿入して前記上平板部１０と前記下平板部２０との間の間隔を調節可能な締付部３０と、底面部４３を有し天面が開放された略円筒形状の単管挿入部４０と、を備え、前記下平板部２０の一方の端部近傍に雌ねじ部２２を有するとともに、前記下平板部２０と前記上平板部１０とを対向させた状態で、前記雌ねじ部２２と略同一場所の前記上平板部１０に雄ねじ挿入孔１２を有し、前記単管挿入部４０の前記底面部４３には、頭を上にした雄ねじ部４１の一部が固定されているとともに、前記雄ねじ部４１の先端が前記底面部４３から下方に突き出している転落防止装置１００を準備する。
【００３４】
次に、上平板部１０と下平板部２０とで建築現場の水平方向に設置された複数の鉄筋を挟み、締付部３０を第１締付口１１と第２締付口２１とに沿って摺動させて鉄筋Ｆの隙間を探し、ボルト３１を作業者が回して摺動方向と直交する方向の長さ、つまり上平板部１０と下平板部２０との間の間隔を調節して締め付けるように固定する。
【００３５】
そして、雄ねじ部４１を上平板部１０の雄ねじ挿入孔１２を貫通させ、単管挿入部４０を作業者が回すことで下平板部２０の雌ねじ部２２に螺合させて、上平板部１０と下平板部２０とで鉄筋Ｆを締め付ける。これにより、上平板部１０と下平板部２０を２ヶ所で締め付けることができ、間に挟んだ鉄筋Ｆに対して転落防止装置１００を強固に固定することができる（図４参照）。
【００３６】
次に、単管挿入部４０の天面から、フック部５１を有した単管５０（図１参照）を挿入する。そして、単管５０に設けられたフック部５１に図示しない命綱を係止させて作業者の転落を防止することができる。また、２本の単管５０におけるフック部５１間に図示しない親綱を係止し、当該親綱に命綱を係合させて作業者の転落を防止することができる。又は、２本の単管５０の間に図示しない水平方向の別の単管を係止し、この単管に命綱を係合させて作業者の転落を防止することができる。
【００３７】
このように、実施例１においては、建築現場において転落を防止する転落防止装置であって、
第１締付口を有した上平板部と、
前記上平板部を対向させた状態で、前記上平板部における前記第１締付口と略同一場所に第２締付口を有した下平板部と、
前記上平板部と前記下平板部とを対向させた状態で、前記第１締付口と前記第２締付口とに挿入して前記上平板部と前記下平板部との間の間隔を調節可能な締付部と、
底面部を有し天面が開放された略円筒形状の単管挿入部と、を備え、
前記下平板部の一方の端部近傍に雌ねじ部を有するとともに、前記下平板部と前記上平板部とを対向させた状態で、前記雌ねじ部と略同一場所の前記上平板部に雄ねじ挿入孔を有し、
前記単管挿入部の前記底面部には、頭を上にした雄ねじ部の一部が固定されているとともに、前記雄ねじ部の先端が前記底面部から下方に突き出していることを特徴とする転落防止装置により、立柱のない鉄筋の組立現場においても簡単な操作で作業者の安全を確保することができる。
【００３８】
また、転落防止装置であって、前記第１締付口及び前記第２締付口はともに長穴であり、前記締付部は、当該長穴である前記第１締付口及び前記第２締付口に沿って摺動可能である構成により、簡単な構成で締付部による締付位置を調整することができる。
【００３９】
さらに、実施例１においては、第１締付口を有した上平板部と、前記上平板部を対向させた状態で、前記上平板部における前記第１締付口と略同一場所に第２締付口を有した下平板部と、前記上平板部と前記下平板部とを対向させた状態で、前記第１締付口と前記第２締付口とに挿入して前記上平板部と前記下平板部との間の間隔を調節可能な締付部と、底面部を有し天面が開放された略円筒形状の単管挿入部と、を備え、前記下平板部の一方の端部近傍に雌ねじ部を有するとともに、前記下平板部と前記上平板部とを対向させた状態で、前記雌ねじ部と略同一場所の前記上平板部に雄ねじ挿入孔を有し、前記単管挿入部の前記底面部には、頭を上にした雄ねじ部の一部が固定されているとともに、前記雄ねじ部の先端が前記底面部から下方に突き出している転落防止装置を準備し、
前記上平板部と前記下平板部とで鉄筋を挟むように位置させ、
前記締付部を前記第１締付口と前記第２締付口とに挿入し前記上平板部と前記下平板部との間隔を調節して固定するとともに、前記雄ねじ部を前記雌ねじ部に螺合させて、前記上平板部と前記下平板部との間で前記鉄筋を締め付け、
前記単管挿入部に単管を挿入し、
前記単管に命綱、親綱、又は水平方向の単管を係止することを特徴とする転落防止方法により、立柱のない鉄筋の組立現場においても簡単な操作で作業者の安全を確保することができる。
【実施例２】
【００４０】
本発明の実施例２においては、第１締付口及び第２締付口が長穴ではなく、穴である点で実施例１と異なっている。
【００４１】
実施例２における第１締付口及び第２締付口は予め締付部による締付が可能な位置に設けられた穴である。したがって、締付部は第１締付口及び第２締付口に沿って摺動することはなく、第１締付口及び第２締付口に挿入して締め付けて上平板部１０と下平板部２０との間の間隔を調節する。これにより、より低コストで上平板部１０と下平板部２０との間の間隔を調節することができる。
【００４２】
なお、第１締付口及び第２締付口は、それぞれ１個でなくてもよく、複数の第１締付口及び第２締付口を設けて、最適な位置の第１締付口及び第２締付口に実施例１と同様の締付部３０を挿入して締め付けて上平板部１０と下平板部２０との間の間隔を調節すればよい。
【００４３】
さらに、複数の第１締付口及び第２締付口を設けた場合、締付部３０は１個でなくてもよく、複数の締付部を複数の第１締付口及び第２締付口に挿入して締め付けて上平板部１０と下平板部２０との間の間隔を調節するように構成してもよい。
【００４４】
なお、実施例２においては、締付部を実施例１と同様の締付部３０としたが、必ずしもこれに限定されず適宜変更が可能である。例えば、ボルトとナットを１個ずつ用いた締付部としてもよい。
【００４５】
このように、実施例２においても、建築現場において転落を防止する転落防止装置であって、
第１締付口を有した上平板部と、
前記上平板部を対向させた状態で、前記上平板部における前記第１締付口と略同一場所に第２締付口を有した下平板部と、
前記上平板部と前記下平板部とを対向させた状態で、前記第１締付口と前記第２締付口とに挿入して前記上平板部と前記下平板部との間の間隔を調節可能な締付部と、
底面部を有し天面が開放された略円筒形状の単管挿入部と、を備え、
前記下平板部の一方の端部近傍に雌ねじ部を有するとともに、前記下平板部と前記上平板部とを対向させた状態で、前記雌ねじ部と略同一場所の前記上平板部に雄ねじ挿入孔を有し、
前記単管挿入部の前記底面部には、頭を上にした雄ねじ部の一部が固定されているとともに、前記雄ねじ部の先端が前記底面部から下方に突き出していることを特徴とする転落防止装置により、立柱のない鉄筋の組立現場においても簡単な操作で作業者の安全を確保することができる。
【００４６】
また、実施例２においても、第１締付口を有した上平板部と、前記上平板部を対向させた状態で、前記上平板部における前記第１締付口と略同一場所に第２締付口を有した下平板部と、前記上平板部と前記下平板部とを対向させた状態で、前記第１締付口と前記第２締付口とに挿入して前記上平板部と前記下平板部との間の間隔を調節可能な締付部と、底面部を有し天面が開放された略円筒形状の単管挿入部と、を備え、前記下平板部の一方の端部近傍に雌ねじ部を有するとともに、前記下平板部と前記上平板部とを対向させた状態で、前記雌ねじ部と略同一場所の前記上平板部に雄ねじ挿入孔を有し、前記単管挿入部の前記底面部には、頭を上にした雄ねじ部の一部が固定されているとともに、前記雄ねじ部の先端が前記底面部から下方に突き出している転落防止装置を準備し、
前記上平板部と前記下平板部とで鉄筋を挟むように位置させ、
前記締付部を前記第１締付口と前記第２締付口とに挿入し前記上平板部と前記下平板部との間隔を調節して固定するとともに、前記雄ねじ部を前記雌ねじ部に螺合させて、前記上平板部と前記下平板部との間で前記鉄筋を締め付け、
前記単管挿入部に単管を挿入し、
前記単管に命綱、親綱、又は水平方向の単管を係止することを特徴とする転落防止方法により、立柱のない鉄筋の組立現場においても簡単な操作で作業者の安全を確保することができる。
【産業上の利用可能性】
【００４７】
本発明における転落防止装置、及び転落防止方法は、建築現場での転落を防止する分野に広く用いることができる。
【符号の説明】
【００４８】
１０：上平板部    １１：第１締付口    １２：雄ねじ挿入孔    
２０：下平板部    ２１：第２締付口    ２２：雌ねじ部    
３０：締付部    ３１：ボルト    ３２：嵌合ロングナット    
３４：座金    
４０：単管挿入部    ４１：雄ねじ部    ４３：底面部    
５０：単管    ５１：フック部    
１００：転落防止装置
Ｗ：溶接部    Ｆ：鉄筋    
【要約】
【課題】立柱のない鉄筋の組立現場においても簡単な操作で作業者の安全を確保することを課題とする。
【解決手段】第１締付口１１を有した上平板部１０と、上平板部を対向させた状態で、上平板部における第１締付口と略同一場所に第２締付口２１を有した下平板部２０と、上平板部と下平板部とを対向させた状態で、第１締付口と第２締付口とに挿入して上平板部と下平板部との間の間隔を調節可能な締付部３０と、底面部４３を有し、天面が開放された略円筒形状の単管挿入部４０と、を備え、下平板部の一方の端部近傍に雌ねじ部２２を有するとともに、下平板部と上平板部とを対向させた状態で、雌ねじ部と略同一場所の上平板部に雄ねじ挿入孔１２を有し、単管挿入部の底面部には、頭を上にした雄ねじ部４１の一部が固定されているとともに、雄ねじ部の先端が底面部から下方に突き出していることを特徴とする転落防止装置１００を用いることとした。
【選択図】図１【図１】
0006888856.tif 000002
【図２】
0006888856.tif 000003
【図３】
0006888856.tif 000004
【図４】
0006888856.tif 000005